(57)【特許請求の範囲】
【請求項１】
扉２Ａに固定される錠ケース本体４Ａと、この錠ケース本体４Ａに固定されるフロント板７Ａとから成る電気錠１Ａに於いて、前記錠ケース本体４Ａを縦長状に延設し、該錠ケース本体４Ａの上部或いは下部に電線引込み口２６を形成すると共に、この電線引込み口２６と連通するボックス状の電線収納部２５を一体的に形成し、そして、前記電線収納部２５には、前記電線引込み口２６を介して扉内の通電金具側の電線１０Ａの先端部を引き込み、一方、電気錠１Ａの信号線１２Ａの結線端部を飛び出し状に露出させ、この信号線１２Ａの結線端部と前記電線１０Ａの先端部を接続する箇所をＹ箇所結線として該Ｙ箇所結線を結線具１３Ａと共に該電線収納部２５内に自由に位置付け、また前記フロント板７Ａは、錠ケース本体４Ａに第１固着具８Ａ並びに第１取付け孔２７を介して固定されるフロント板本体２８と、このフロント板本体２８の上部に形成され、かつ、前記結線収納部２５の開口２９と連通するフロント開口３０を塞ぐように該フロント板本体２８に第２固着具３１並びに第２取付け孔３２を介して固定されるフロント補足板３３とから成ることを特徴とする扉用電気錠。
【請求項２】
請求項１に於いて、結線収納部２５はボックス状に形成され、該結線収納部２５内には、予め電気錠１Ａの信号線１２Ａの結線具１３Ａ用結線端部が飛び出し状に露出していることを特徴とする扉用電気錠。
【請求項３】
扉２Ａに固定される錠ケース本体４Ａと、この錠ケース本体４Ａに固定されるフロント板７Ａとから成る電気錠１Ａに於いて、前記錠ケース本体４Ａを縦長状に延設し、該錠ケース本体４Ａの上部或いは下部に電線引込み口２６を形成すると共に、この電線引込み口２６と連通するボックス状の電線収納部２５を一体的に形成し、そして、前記電線収納部２５には、前記電線引込み口２６を介して扉内の通電金具側の電線１０Ａの先端部を引き込み、一方、電気錠１Ａの信号線１２Ａの結線端部を飛び出し状に露出させ、この信号線１２Ａの結線端部と前記電線１０Ａの先端部を接続する箇所をＹ箇所結線として該Ｙ箇所結線を結線具１３Ａと共に該電線収納部２５内に自由に位置付け、また前記フロント板７Ａは、前記錠ケース本体４Ａの垂直取付け板部２０に形成した開口２９を塞ぐように錠ケース本体４Ａに固着具８Ａ並びに取付け孔２７を介して固定されていることを特徴とする扉用電気錠。
【発明の詳細な説明】
【０００１】
【発明の属する技術分野】
本発明は、扉用電気錠に関する。
【０００２】
【従来の技術】
普通一般に、電気錠を扉に取付ける作業は、建具工事業者の職業領域である。一方、扉側の電気錠と建物の出入り口等に適宜に設置された制御盤とを電線管を介して案内された電線や通電金具を使用して結線する作業は、免許を有する電気工事業者の職業領域である。
【０００３】
そこで、図１は従来の扉用電気錠に於ける結線方法の実施に直接用いられた電気錠１を示している。この図１で示すように、扉用電気錠１取付けの建具施工は、建具工事業者が、まず扉２の開口側端部２ａに形成した切欠部３に錠ケース本体４を押し込み、次に該錠ケース本体４にレバーハンドル５、キーシリンダー６、図示しないサムターンなどを装着し、かつ、錠ケース本体４を適宜に仮止固定し、しかる後にフロント板７を固着具８を介して取付ける。
【０００４】
これに対し、通電金具を使用して結線する電気的施工は、電気工事業者が、図１で示すようにＸ箇所とＹ箇所（Ｘ、Ｙの２箇所）で行われている。すなわち、前記Ｘ箇所の結線は、扉用開口部の縦枠内に電線管を介して案内された通制御盤側の電線９と扉２内に電線管を介して案内された電気錠結線用の電線（通電金具側１６の電線）１０の後端部とを結線具１１を介して行われる。一方、前記Ｙ箇所の結線は、錠ケース本体４の上壁の貫通孔を介して該錠ケース本体４の外部に飛び出すように案内された複数本の信号線１２と前記電気錠結線用の電線１０の先端部とを結線具１３を介して行われる。なお、符号１４はデッドボルト、１５はラッチボルト、１６は通電金具である。
【０００５】
しかして、従来の電気錠１を用いた上記Ｙ箇所の建具施工及び電気的施工に於いては、次に列挙するような問題点があった。
(1)電気工事業者と建具工事業者とのトラブルの要因となる。すなわち、従来の電気錠１は、施工面に於いて、まず電気工事業者が電気的施工（結線作業）をし、次に建具工事業者が電気錠１取付けの建具施工をする必要がある。したがって、電気工事業者の電気的施工が終了しないと、建具工事業者がいつまで経っても、電気錠１取付け作業ができず、その結果、建具施工が遅延する。それ故に、トラブルの要因と成り得る。
(2)電気工事業者の結線作業が終了し、次に建具工事業者が電気錠１を扉２に装着する場合、図２で示すように錠ケース本体４を押し込むため、電気錠１の信号線１３が扉２内の構造如何によっては、扉２内の部材に挟み込まれ、信号線が損傷する原因となる。
(3)またＹ箇所の結線は、結線後に於いても、信号線１３が錠ケース本体４の後端部に「ぶら下がり状態」なので、錠ケース本体４を扉２の切欠部３に押し込む場合には、例えば片手で信号線１３や結線具１３を傷つけないように注意深く行わなければ成らない。したがって、錠ケース本体４の取付け作業そのものが容易でない。
【０００６】
ところで、施工面では上記のような欠点があるが、これらの欠点は、現在、施工後のメンテナンスの面に於いても問題を提起している。すなわち、電気錠１の取付け専門家である建具工事業者が一度建具施工を行うと、Ｙ箇所の結線は扉２内に完全に隠蔽されてしまう。しかるに、一度電気錠１を扉２に取付けてしまうと、Ｙ箇所の結線の点検が非常に困難である。それは、Ｙ箇所の結線の点検を行うには前述したように扉２から電気錠１を取外さなければ成らないところ、普通一般に電気工事業者は、電気的施工のプロであっても、建具施工のプロではないため、事実上一人でできない。つまり、メンテナンスの向上を図るためには、現場での建具工事業者の力も借りなければ成らない。
【０００７】
そこで、現場から、施工並びにメンテナンスの向上性の観点から上記問題点を解決すべき発明の出現が要望されている。
【０００８】
【発明が解決しようとする課題】
本発明は以上のような従来の要望に鑑み、第１の目的は、電気工事業者と建具工事業者とのトラブルの要因を取り除くことである。第２の目的は、電気的施工（結線作業）を容易に行うことができると共に、電気錠の信号線に傷を付けないことである。第３の目的は、メンテナンスの面に於いて、電気工事業者が建具工事業者の労力を借りなくても、前述したＹ箇所の結線の点検を容易に行うことができることである。
【０００９】
【課題を解決するための手段】
本発明の扉用電気錠は、扉２Ａに固定される錠ケース本体４Ａと、この錠ケース本体４Ａに固定されるフロント板７Ａとから成る電気錠１Ａに於いて、前記錠ケース本体４Ａを縦長状に延設し、該錠ケース本体４Ａの上部或いは下部に電線引込み口２６を形成すると共に、この電線引込み口２６と連通するボックス状の電線収納部２５を一体的に形成し、そして、前記電線収納部２５には、前記電線引込み口２６を介して扉内の通電金具側の電線１０Ａの先端部を引き込み、一方、電気錠１Ａの信号線１２Ａの結線端部を飛び出し状に露出させ、この信号線１２Ａの結線端部と前記電線１０Ａの先端部を接続する箇所をＹ箇所結線として該Ｙ箇所結線を結線具１３Ａと共に該電線収納部２５内に自由に位置付け、また前記フロント板７Ａは、錠ケース本体４Ａに第１固着具８Ａ並びに第１取付け孔２７を介して固定されるフロント板本体２８と、このフロント板本体２８の上部に形成され、かつ、前記結線収納部２５の開口２９と連通するフロント開口３０を塞ぐように該フロント板本体２８に第２固着具３１並びに第２取付け孔３２を介して固定されるフロント補足板３３とから成ることを特徴とする。
【００１０】
上記構成に於いては、結線収納部２５内には、予め電気錠１Ａの信号線１２Ａの結線具１３Ａ用結線端部が飛び出し状に露出していることを特徴とする。
【００１１】
また本発明の扉用電気錠は、扉２Ａに固定される錠ケース本体４Ａと、この錠ケース本体４Ａに固定されるフロント板７Ａとから成る電気錠１Ａに於いて、前記錠ケース本体４Ａを縦長状に延設し、該錠ケース本体４Ａの上部或いは下部に電線引込み口２６を形成すると共に、この電線引込み口２６と連通するボックス状の電線収納部２５を一体的に形成し、そして、前記電線収納部２５には、前記電線引込み口２６を介して扉内の通電金具側の電線１０Ａの先端部を引き込み、一方、電気錠１Ａの信号線１２Ａの結線端部を飛び出し状に露出させ、この信号線１２Ａの結線端部と前記電線１０Ａの先端部を接続する箇所をＹ箇所結線として該Ｙ箇所結線を結線具１３Ａと共に該電線収納部２５内に自由に位置付け、また前記フロント板７Ａは、前記錠ケース本体４Ａの垂直取付け板部２０に形成した開口２９を塞ぐように錠ケース本体４Ａに固着具８Ａ並びに取付け孔２７を介して固定されていることを特徴とする。
【００１２】
【発明の実施の形態】
まず本発明の実施の形態を、図３乃至図５で示すように扉２Ａに取付けられた第１実施例の電気錠１Ａの例で説明する。電気錠１Ａは、従来の実施例で説明したように、扉２Ａの開口側端部に形成した切欠部３Ａに錠ケース本体４Ａを押し込み、次に該錠ケース本体４Ａにレバーハンドル５Ａ、キーシリンダー６Ａ等を装着し、かつ、錠ケース本体４Ａを適宜に固定し、しかる後にフロント板７Ａを第１固着具８Ａを介して取付ける。この点では、従来の実施例と同様である。なお、前記錠ケース本体４Ａには、フロント板７Ａと対向する垂直取付け板部２０が耳状に設けられ、この垂直取付け板部２０の上下突起部には、錠ケース本体４Ａ固定用固着具２１の貫通孔２２がそれぞれ形成されている。
【００１３】
しかして、従来の実施例と主に異なる点は、錠ケース本体４Ａをより縦長状に延設し、Ｙ箇所のボックス状結線収納部２５を形成したことである。すなわち、レバーハンドル５Ａやキーシリンダー６Ａを有する錠ケース本体４Ａの上部に、電気錠１Ａの信号線１２Ａの結線具１３Ａ用結線端部を飛び出し状に露出しているのを収納すると共に、一側面に制御盤側の電線と直接的に接続する扉内の電線１０Ａ（電気錠側の電線、或いは通電金具１６側の電線）の先端部を引き込むことができる電線引込み口２６を形成したことである。
【００１４】
またフロント板７Ａは、錠ケース本体４Ａに複数個の第１固着具８Ａ並びに第１取付け孔２７を介して固定されるフロント板本体２８と、このフロント板本体２８の上部に形成され、かつ、前記結線収納部２５の開口２９と連通するフロント開口３０を塞ぐように該フロント板本体２８に複数個の第２固着具３１並びに第２取付け孔３２を介して固定されるフロント補足板３３とから成ることである。  なお、フロント補足板３３用の前記第２取付け孔３２は、フロント開口３０の上下の縁部にそれぞれ段差状に連設するやや薄肉の垂直当接片３４に形成されている。またフロント板本体２８にはデッドボルト１４Ａ用貫通孔３５、ラッチボルト１４Ａ用貫通孔３６が形成されている。また錠ケース本体４Ａの垂直取付け板部２０には、第１固着具８Ａが入り込むフロント板取付け用貫通孔３７が形成されている。
【００１５】
上記構成に於いて、施工について説明する。例えば建具工事業者が電気工事業者の電気的施工（結線作業）前に電気錠１Ａを扉２Ａに取付けたい場合には、まず無造作でもよいから錠ケース本体４Ａの電線引込み口２６を利用し、結線収納部２５内に電気錠側の電線１０Ａの先端部を引き込んでおく。この電線１０Ａの収納状態で、まず錠ケース本体４Ａを固着具２１並びにその貫通孔２２を介して扉２Ａに固定する。次にフロント板７Ａを第１固着具８Ａ並びに第１取付け孔２７や貫通孔３７を介して固定する。この場合望ましくは補足板３３も第２固着具３１を介してフロント板本体２８に固着しておく。
【００１６】
次に電気工事業者がＹ箇所の結線作業をする場合、仮に前記第２固着具３１を介して補足板３３がフロント板本体２８に固着されているならば、まず補足板３３を取り外し、次に結線収納部２５内に収納されている電気錠側の電線１０Ａの先端部と電気錠１Ａの飛び出し状信号線１２Ａの先端部をそれぞれ電気錠１Ａの開口２９、３０から適当に取り出し、結合（結線作業）する。そして、結線具１３Ａを介してＹ箇所の結線作業が終了したならば、結線したＹ箇所を結線収納部２５内に戻し（入れ）、補足板３３を第２固着具３１を介してフロント板本体２８に固着する。
【００１７】
一方、電気工事業者が建具工事業者の電気錠取付け施工前に電気的施工（結線作業）をしたい場合には、電気工事業者は各構成部材（レバーハンドル、キーシリンダー等）を含む電気錠１Ａを扉に取付けることがではないのが普通であるから、各構成部材を除いた、錠ケース本体４Ａのみを切欠部３Ａに単に差し込んだ状態にしておき、上述したように結線作業を実行する。したがって、建具工事業者は、結線作業終了後のＹ箇所が錠ケース本体４Ａの結線収納部２５内に収納されていることを確かめたならば、電気錠１Ａを完全に扉２Ａに固定しても良い。
【００１８】
【実施例】
第１実施例の電気錠１Ａは、錠ケース本体４Ａの上部に電線引込み口２６を有するＹ箇所結線用の電線収納部２５が一体的に形成されているが、施工如何によっては、前記電線収納部２５を錠ケース本体４Ａの下部に一体的に形成しても良い。また電線引込み口２６の形成部位は、錠ケース本体４Ａの一側上面又は／及び一側背面でも良い。そして、電線引込み口２６はやや大きめの切欠開口でも、適当な大きさの貫通孔であっても良い。
【００１９】
次に図６及び図７で示す第２実施例の電気錠１Ｂについて説明する。なお、この電気錠１Ｂと前記電気錠１Ａとの構成が同一の部分には同一の符号を付し、重複する説明を省略する。この電気錠１Ｂが第１実施例の電気錠１Ａと主に異なる点は、フロント板７Ｂがフロント補足板を有しない点である。すなわち、フロント板７Ｂは、電気錠１Ｂがボックス状の結線収納部２５Ｂを形成するとめに縦方向に延設されたのに対応して縦長状に形成されている。したがって、フロント板７Ｂは、錠ケース本体４Ｂに複数個の固着具８Ｂ並びに取付け孔２７Ｂを介して固定されるだけである。
【００２０】
上記構成に於いて、電気錠１Ｂの施工後に於けるメンテナンスでは、電気工事業者は、まず固着具８及びＢフロント板７Ｂを錠ケース本体４Ｂから取り外し、次に結線したＹ箇所を結線収納部２５Ｂから電気錠１Ｂの外へと引き出し、適宜に点検した後、点検或いは修理後のＹ箇所を結線収納部２５Ｂに戻し、しかる後にフロント板７Ｂを固着具８を介して錠ケース本体４Ｂに固定する。
【００２１】
なお、この第２実施例の電気錠１Ｂに於いても、錠ケース本体４Ｂの下部に電線引込み口２６を有するＹ箇所結線用の電線収納部２５Ｂを一体的に形成し、この結線収納部２５Ｂはボックス状に形成され、かつ、該結線収納部２５Ｂ内には予め電気錠１Ｂの信号線１２Ａの結線具１３Ａ用結線端部を飛び出し状に露出させておいても良い。
【００２２】
【発明の効果】
以上の説明から明らかなように、本発明にあっては次に列挙するような効果がある。
（１）電気工事業者と建具工事業者との施工順番のトラブルの要因を取り除くことができる。
（２）電気的施工（結線作業）を容易に行うことができると共に、電気錠の信号線に傷を付けない。
（３）メンテナンスの面に於いて、電気工事業者が建具工事業者の労力を借りなくても、Ｙ箇所の結線の点検・修理を容易に行うことができる。
【図面の簡単な説明】
図１及び図２は従来の一例を示す各概略説明図。図３乃至図５は本発明の第１実施例を示す各説明図。図６及び図７は本発明の第２実施例を示す各説明図。
【図１】使用状態を示す概略説明図。
【図２】電気錠の施工状態を示す説明図。
【図３】第１実施例の施工状態の一例の斜視からの説明図。
【図４】第１実施例の分解斜視図。
【図５】第１実施例の結線作業終了後の使用状態の説明図。
【図６】第２実施例の分解斜視図。
【図７】第２実施例の結線作業終了後の使用状態の説明図。
【符号の説明】
１、１Ａ、１Ｂ…電気錠、２Ａ…扉、３Ａ…切欠部、４Ａ、４Ｂ…錠ケース本体、７Ａ、７Ｂ…フロント板、８、８Ａ、８Ｂ…（第１）固着具、Ｙ箇所…電線１０Ａと電気錠の信号線１２Ａとの結合部分、１０Ａ…扉内の電気錠側の電線、１３Ａ…結線具、２５、２５Ｂ…結線収納部、２６…電線引込み口、２７、２７Ｂ…（第１）取付け孔、２８…フロント板本体、２０…垂直取付け部、２９…結線収納部の開口、３０…フロント開口、３１…第２固着具、３２…第２取付け孔、３３…補足板。
【図１】
0004070040.tif 000002
【図２】
0004070040.tif 000003
【図３】
0004070040.tif 000004
【図４】
0004070040.tif 000005
【図５】
0004070040.tif 000006
【図６】
0004070040.tif 000007
【図７】
0004070040.tif 000008